(57)【要約】【課題】画像処理部の適切なジョブの実行を妨げる可能性を低減できる画像処理装置を提供する。【解決手段】アクティブ状態で表示中の画面をアクティブでない状態とし、新たに、前記挿抜される部材に関する設定画面を前記アクティブ状態で表示する画面変更処理と、前記検知処理にて前記挿抜される部材の挿抜状態の変化を検知した際に、前記画像処理部によって実行中のジョブの制御画面を前記アクティブ状態で表示中である場合には、前記画面変更処理を行わず、装置の使用開始の待機画面を前記アクティブ状態で表示中である場合には、前記画面変更処理を行う、変更制限処理と、前記入力部に対する指示を、前記表示部に前記アクティブ状態で表示中の画面に対する指示として受付ける、受付処理と、を行う。【選択図】図１０
2015122615.tif 000002
【特許請求の範囲】
【請求項１】
装置本体と、
画像形成部を有する画像処理部と、
前記画像形成部によって画像を形成する際に用いられる記録材に係る、前記装置本体に対して挿抜される部材の、挿抜状態に応じた信号を出力するセンサと、
入力部と、
表示部と、
制御部と、を備え、
前記制御部は、
前記センサによって出力される信号によって、前記挿抜される部材の挿抜状態の変化を検知する検知処理と、
前記表示部に画面の表示を行う表示処理と、
アクティブ状態で表示中の画面をアクティブでない状態とし、新たに、前記挿抜される部材に関する設定画面を前記アクティブ状態で表示する画面変更処理と、
前記検知処理にて前記挿抜される部材の挿抜状態の変化を検知した際に、前記画像処理部によって実行中のジョブの制御画面を前記アクティブ状態で表示中である場合には、前記画面変更処理を行わず、装置の使用開始の待機画面を前記アクティブ状態で表示中である場合には、前記画面変更処理を行う、変更制限処理と、
前記入力部に対する指示を、前記表示部に前記アクティブ状態で表示中の画面に対する指示として受付ける、受付処理と、を行う画像処理装置。
【請求項２】
前記挿抜される部材は、シート、あるいはシートを保持するシート保持部であり、
前記挿抜される部材に関する設定画面は、シートの種類に関する設定画面である、請求項１に記載の画像処理装置。
【請求項３】
原稿保持部を備え、  前記画像処理部は、前記原稿保持部が保持する原稿の画像を読み取る画像読取部を有し、
前記画像処理部によって実行中のジョブの制御画面は、前記原稿保持部に保持された第１の原稿の画像を前記画像読取部によって読み取った後に画像を読み取る第２の原稿が存在するか否かを問いかける画面である、請求項１または２のいずれかに記載の画像処理装置。
【請求項４】
前記制御部は、前記変更制限処理において、前記検知処理にて前記挿抜される部材の挿抜状態の変化を検知した際に、前記画像処理部によるジョブの内容の設定画面を前記アクティブ状態で表示中である場合にも、前記画面変更処理を行わない、請求項１から３のいずれかに記載の画像処理装置。
【請求項５】
原稿保持部を備え、  前記画像処理部は、前記原稿保持部に保持された原稿の画像を読み取る画像読取部を有し、
前記画像処理部によるジョブの内容の設定画面は、前記原稿保持部の原稿の画像を１度読み取った後に、再度、前記原稿の画像を読み取る場合の読取条件の設定画面である請求項４に記載の画像処理装置。
【請求項６】
前記画像処理部によるジョブの内容の設定画面は、シートに形成する画像の選択画面である、請求項４または５に記載の画像処理装置。
【請求項７】
前記制御部は、前記変更制限処理において、前記検知処理にて前記挿抜される部材の挿抜状態の変化を検知した際に、前記画像処理部によって実行中のジョブの制御画面を前記アクティブ状態で表示中である場合には、前記画面変更処理を行わず、前記画像処理部によるジョブの実行が終了してから、前記画面変更処理を行う、請求項１から６のいずれかに記載の画像処理装置。
【請求項８】
前記制御部は、前記変更制限処理において、前記検知処理にて前記挿抜される部材の挿抜状態の変化を検知した際に、前記画像処理部によって実行中のジョブの制御画面を前記アクティブ状態で表示中である場合には、前記画面変更処理を行わず、前記挿抜される部材に関する設定を現行の設定から変更しない、請求項１から６のいずれかに記載の画像処理装置。
【請求項９】
前記画像処理部によって実行中のジョブの制御画面は、前記画像処理部によって実行中のジョブを中止するか否かを問いかける画面である、請求項１から８のいずれかに記載の画像処理装置。
【請求項１０】
前記制御部は、前記変更制限処理において、前記挿抜される部材に関する設定画面を前記表示部に表示しないことによって、前記画面変更処理を行わない、請求項１から９のいずれかに記載の画像処理装置。
【発明の詳細な説明】
【技術分野】
【０００１】
本発明は、装置本体に対して挿抜される部材に関する設定画面を表示する表示部を備えた画像処理装置に関する。
【背景技術】
【０００２】
従来の画像処理装置において、例えば特許文献１のように、挿抜される部材としての給紙部の、装置本体への挿入または装置本体からの抜き出しに応じて、給紙部内のシートについて設定されていた紙質やサイズ等のシートに関する情報を表示部に表示し、シートに関する設定をユーザに促す画面を表示するものが開示されている。
【先行技術文献】
【特許文献】
【０００３】
【特許文献１】特開2002-278377号公報
【発明の概要】
【発明が解決しようとする課題】
【０００４】
上記従来例のような構成において、挿抜される部材に関する設定画面を表示部に表示し設定を受け付けるタイミングによっては、画像処理部のジョブを制御するユーザの操作を妨げることにより画像処理部の適切なジョブの実行を妨げることがあった。例えば、画像形成を実行中のジョブにおいて画像形成を中止させる中止ボタンが表示された画面の表示中に給紙部が挿抜された場合、給紙部に収納されるシートに関する設定画面を中止ボタンの上に重ねて表示すると、ユーザの中止ボタンの操作を妨げてしまうことがあり、ユーザの所望するタイミングで画像形成が中止されないことがあった。
【０００５】
本発明は上述した問題点を解決するためになされたものであり、画像処理部の適切なジョブの実行を妨げる可能性を低減できる画像処理装置を提供するものである。
【課題を解決するための手段】
【０００６】
この目的を達成するためになされた本発明の画像処理装置は、装置本体と、画像形成部を有する画像処理部と、前記画像形成部によって画像を形成する際に用いられる記録材に係る、前記装置本体に対して挿抜される部材の、挿抜状態に応じた信号を出力するセンサと、入力部と、表示部と、制御部と、を備え、前記制御部は、前記センサによって出力される信号によって、前記挿抜される部材の挿抜状態の変化を検知する検知処理と、前記表示部に画面の表示を行う表示処理と、アクティブ状態で表示中の画面をアクティブでない状態とし、新たに、前記挿抜される部材に関する設定画面を前記アクティブ状態で表示する画面変更処理と、前記検知処理にて前記挿抜される部材の挿抜状態の変化を検知した際に、前記画像処理部によって実行中のジョブの制御画面を前記アクティブ状態で表示中である場合には、前記画面変更処理を行わず、装置の使用開始の待機画面を前記アクティブ状態で表示中である場合には、前記画面変更処理を行う、変更制限処理と、前記入力部に対する指示を、前記表示部に前記アクティブ状態で表示中の画面に対する指示として受付ける、受付処理と、を行うことを特徴とする。
【０００７】
このようにすれば、挿抜される部材に関する設定画面を表示することによって画像処理部のジョブの適切な実行を妨げる可能性を低減できる。
【０００８】
また、前記挿抜される部材は、シート、あるいはシートを保持するシート保持部であり、前記挿抜される部材に関する設定画面は、シートの種類に関する設定画面であってもよい。
【０００９】
このようにすれば、シートの種類に関する設定画面を表示することによって画像処理部のジョブの適切な実行を妨げる可能性を低減できる。
【００１０】
また、原稿保持部を備え、前記画像処理部は、前記原稿保持部が保持する原稿の画像を読み取る画像読取部を有し、前記画像処理部によって実行中のジョブの制御画面は、前記原稿保持部に保持された第１の原稿の画像を前記画像読取部によって読み取った後に画像を読み取る第２の原稿が存在するか否かを問いかける画面であってもよい。
【００１１】
このようにすれば、挿抜される部材に関する設定画面を表示することによってジョブの適切な実行、特に継続を妨げる可能性を低減できる。
【００１２】
また前記制御部は、前記変更制限処理において、前記検知処理にて前記挿抜される部材の挿抜状態の変化を検知した際に、前記画像処理部によるジョブの内容の設定画面を前記アクティブ状態で表示中である場合にも、前記画面変更処理を行わないものであってもよい。
【００１３】
このようにすれば、挿抜される部材に関する設定画面を表示することによってジョブの適切な準備を含む実行を妨げる可能性を低減できる。
【００１４】
また、原稿保持部を備え、前記画像処理部は、前記原稿保持部に保持された原稿の画像を読み取る画像読取部を有し、前記画像処理部によるジョブの内容の設定画面は、前記原稿保持部の原稿の画像を１度読み取った後に、再度、前記原稿の画像を読み取る場合の読取条件の設定画面であってもよい。
【００１５】
このようにすれば、挿抜される部材に関する設定画面を表示することによって原稿を一度読み取った後再度読取を行うジョブの適切な実行を妨げる可能性を低減できる。 
【００１６】
また、前記画像処理部によるジョブの内容の設定画面は、シートに形成する画像の選択画面であってもよい。
【００１７】
このようにすれば、挿抜される部材に関する設定画面を表示することによって画像の選択を受け付けて行う印刷の適切な実行を妨げる可能性を低減できる。 
【００１８】
また、前記制御部は、前記変更制限処理において、前記検知処理にて前記挿抜される部材の挿抜状態の変化を検知した際に、前記画像処理部によって実行中のジョブの制御画面を前記アクティブ状態で表示中である場合には、前記画面変更処理を行わず、前記画像処理部によるジョブの実行が終了してから、前記画面変更処理を行うものであってもよい。
【００１９】
このようにすれば、挿抜される部材に関する設定画面を表示することによってジョブの適切な実行を妨げる可能性を低減できるとともに挿抜される部材に関する設定をユーザに促すことができる。
【００２０】
また、前記制御部は、前記変更制限処理において、前記検知処理にて前記挿抜される部材の挿抜状態の変化を検知した際に、前記画像処理部によって実行中のジョブの制御画面を前記アクティブ状態で表示中である場合には、前記画面変更処理を行わず、前記挿抜される部材に関する設定を現行の設定から変更しないものであってもよい。
【００２１】
このようにすれば、挿抜される部材に関する設定画面を表示することによってジョブの適切な実行を妨げる可能性を低減しつつ、挿抜される部材に関する設定を行うことができる。
【００２２】
また、前記画像処理部によって実行中のジョブの制御画面は、前記画像処理部によって実行中のジョブを中止するか否かを問いかける画面であってもよい。
【００２３】
このようにすれば、挿抜される部材に関する設定画面を表示することによって画像処理部のジョブの適切な実行、特に中止を妨げる可能性を低減できる。
【００２４】
また、前記制御部は、前記変更制限処理において、前記挿抜される部材に関する設定画面を前記表示部に表示しないことによって、前記画面変更処理を行わないものであってもよい。
【００２５】
このようにすれば、ジョブの実行中は挿抜される部材に関する設定画面を表示しないことによって、ジョブの実行を制御する指示の受け付けを制限しないことができる。
【発明の効果】
【００２６】
本発明によれば、画像処理部の適切なジョブの実行を妨げる可能性を低減できる。
【図面の簡単な説明】
【００２７】
【図１】本発明の複合機１の原稿カバー４が開位置にあるときの概略構成を示す斜視図である。
【図２】本発明の複合機１の印刷部１０周辺の内部構成を示す説明図である。
【図３】読取装置１００の左右方向に沿う断面の構成を表す概略断面図である。
【図４】ディスプレイ４１に表示される用紙設定画面４５の例を示す概略的な図である。
【図５】メインメニュー画面８９を表す概略図である。
【図６】（ａ）は、読取設定画面９０ａを表す概略図であり、（ｂ）は、読取中画面９０ｂを表す概略図である。
【図７】（ａ）は、コピー設定画面９２ａを表す概略図であり、（ｂ）は、コピー中画面９２ｂを表す概略図である。
【図８】印刷中画面９４ｂを表す概略図である。
【図９】複合機１の電気的構成を概略的に示すブロック図である。
【図１０】複合機１が行う設定画面表示処理のフローチャートである。
【図１１】次原稿確認画面９６を表す概略図である。
【図１２】複合機１が行う第１実施例とは異なる設定画面表示処理のフローチャートである。
【図１３】プレヴュー画面９７を表す概略図である。
【図１４】画像選択画面９８を表す概略図である。
【発明を実施するための形態】
【００２８】
以下、本発明を具体化した実施の形態について、添付図面を参照しつつ詳細に説明する。
【００２９】
（第１実施例）
まず、複合機１の全体構成について説明する。
【００３０】
図１は、本発明の複合機１（画像処理装置の一例）の読取装置１００の原稿カバー４が開位置にあるときの概略構成を示す斜視図である。
【００３１】
図２は、本発明の複合機１の印刷装置１１０の装置本体２の内部構成を示す説明図である。なお、図２においては、便宜上、読取装置１００を省略している。
【００３２】
図３は、読取装置１００の左右方向に沿う断面の構成を表す概略断面図である。
【００３３】
本形態の複合機１は、図１から図３に示すように、印刷装置１１０と、印刷装置１１０の上方に設けられる読取装置１００と、読取装置１００前方に設けられる操作パネル４０とを備えている。
【００３４】
複合機１は、画像データを印刷装置１１０によって用紙Ｓ（シート、記録材、挿抜される部材の一例）に印刷する印刷機能、読取装置１００によって原稿の画像を読み取って画像データを生成する読取機能、特に読取機能によって生成した画像データに基づく画像を印刷機能によって用紙Ｓに印刷するコピー機能、など、複数の機能を有する。複合機１の有する各種機能については、後述する。
【００３５】
印刷装置の構成について説明する。
【００３６】
印刷装置１１０は、装置本体２（装置本体の一例）と、給紙部５０と、印刷部１０（画像処理部、画像形成部の一例）と、を主に備えている。
【００３７】
装置本体２は、内部に給紙部５０及び印刷部１０を有する。
【００３８】
給紙部５０は、給紙トレイ５１（シート保持部の一例）と、給紙ローラ７１と、挿抜センサ６１（センサの一例）と、を備えている。
【００３９】
給紙トレイ５１は、装置本体２の下部に位置し、印刷に供される用紙Ｓを積載する。給紙トレイ５１は、装置本体２に対してそれぞれ前方向に抜き出し可能、かつ、抜き出した後装置本体２に対して挿入可能に構成されている。給紙トレイ５１が装置本体２に対して抜き出されている状態においては、ユーザは用紙Ｓを載置することが可能である。また、給紙トレイ５１が装置本体２に対して完全に挿入されている状態においては、複合機１は、給紙トレイ５１から用紙Ｓを給紙することが可能である。
【００４０】
給紙ローラ７１は、給紙トレイ５１の前部に設けられている。より具体的には、給紙トレイ５１に保持された用紙Ｓの前端部の上方に設けられている。給紙ローラ７１は、給紙トレイ５１の一番上に保持された用紙Ｓから順に、１枚ずつ給紙する。
【００４１】
挿抜センサ６１は、給紙トレイ５１の後部に設けられている光学式センサであり、給紙トレイ５１の挿抜状態を検知するためのセンサである。
【００４２】
印刷部１０は、装置本体２の内部に位置し、プロセス部５と、搬送ベルト７と、定着部８とを主に備えている。
【００４３】
プロセス部５は、４色（ブラックＫ、イエローＹ、マゼンタＭ、シアンＣ）のトナーを用いて周知の電子写真方式によって用紙Ｓにカラーのトナー像を形成するものである。
【００４４】
搬送ベルト７は用紙Ｓをプロセス部５に沿って搬送するものであり、プロセス部５に沿ってベルト状に構成されている。
【００４５】
定着部８は用紙Ｓ上に形成されたトナー像を用紙Ｓに定着させるものであり、搬送ベルト７よりも搬送方向下流に設けられている。
【００４６】
この印刷部１０により、用紙Ｓへの所望の画像の印刷が可能になっている。
【００４７】
印刷部１０にて印刷に使用される用紙Ｓは、給紙トレイ５１から、給紙ローラ７１によって給紙され、搬送路１１を通ってプロセス部５に搬送され、印刷部１０の各構成要素によって印刷される。
【００４８】
図２中では、搬送路１１を一点鎖線で示している。また、搬送路１１中には、用紙Ｓを搬送する搬送ローラ７４、７５が設けられており、給紙トレイ５１から給紙された用紙Ｓを印刷部１０に搬送し、印刷部１０によって印刷された後に装置本体２外の操作パネル４０下部である排紙トレイ１３に排出する。なお、搬送路１１は、給紙トレイ５１から搬送ローラ７５によって搬送を終了する位置まで延びている。
【００４９】
読取装置の構成について説明する。
【００５０】
読取装置１００は、原稿載置部３（原稿保持部の一例）と、原稿カバー４と、画像読取部６（画像読取部、画像処理部の一例）と、を主に備えている。
【００５１】
原稿載置部３は、図１に示すように、装置本体２の上面に設けられた平面部分であって、前後方向に沿って図示しない原稿を保持可能になっており、ユーザによって載置された原稿を保持する。原稿載置部３は、ガラス板等の透明の部材等によって構成される。
【００５２】
原稿カバー４は、装置本体２にヒンジ部４Ａを介して設けられており、ヒンジ部４Ａを中心として装置本体２に対して上下方向に回動することで、原稿載置部３に対して、図１のように原稿載置部３を開放する位置である開位置および、原稿載置部３を塞ぐ位置である閉位置に変位可能となっている。
【００５３】
画像読取部６は、読取デバイス２１と、読取デバイス２１を後述のように移動させるモータ２３及びベルト機構部２５と、を備えている。
【００５４】
読取デバイス２１は、原稿載置部３の下部（すなわちガラス板等の透明の部材の下部）において、左右方向（副走査方向）に移動可能に収容されている。この読取デバイス２１は、ベルト機構部２５が備える一対のプーリ２５ａに巻回されたベルト２５ｂに固定されており、モータ２３によって回転駆動されるベルト２５ｂと共に、左右方向に移動する。
【００５５】
読取デバイス２１は、左右方向に直交する前後方向に沿って光源と複数の受光素子とを備えた周知のカラーＣＩＳである。
【００５６】
この画像読取部６により、原稿載置部３上の原稿の画像の読取が可能になっている。
【００５７】
前後方向に沿って原稿載置部３上に載置された原稿は、１ライン読み取り可能な読取デバイス２１の左右方向の移動によって、画像を順次読み取られる。読み取り後、複合機１は、所定のメモリ等へ読取ったデータの格納等を行う。
【００５８】
原稿検出センサ６９（図９）は、原稿載置部３の下部に設けられた光学式センサであって、原稿載置部３上の原稿の有無を検知するためのセンサである。
【００５９】
操作パネルの構成について説明する。
【００６０】
操作パネル４０は、装置本体２の上方であって、読取装置１００の前方面に位置しており、ディスプレイ４１と、スタートキー、ストップキー、テンキー等から構成されるボタン群４２とを備えている。
【００６１】
ディスプレイ４１は、操作パネル４０の中心に設けられ、後述の読取中画面９０ｂ（図６（ｂ））や、用紙設定画面４５（図４）等、複合機１の動作状況等を表示する。
【００６２】
ディスプレイ４１は、画面を複数表示可能である。複数個の画面は、重ねて表示される。以下、複数個の画面の、最前面に表示される画面を、アクティブ状態であると表現する。
【００６３】
ボタン群４２は、操作パネル４０の右部に設けられ、ユーザによる各種入力操作を受付けるのに用いられる。
【００６４】
ボタン群４２がユーザによって操作されると、複合機１は、アクティブ状態の画面に対する操作として受付ける。
【００６５】
この操作パネル４０により複合機１の動作状況の表示やユーザによる入力操作が可能になっている。ユーザによる入力操作とは、例えば、スタートキーの押下による印刷部１０に印刷を開始させる指示である開始指示や、ストップキーの押下による開始した印刷の中止指示の他、各給紙トレイ５１に供給される用紙Ｓの種類に関する設定の入力等である。他にも、読取機能、コピー機能等の切り替えは、ボタン群４２のテンキーの操作によって行われる。すなわち図５に示すように、各機能には対応して数字が割り当てられており、操作のあったテンキーの数字に対応する機能が選択される構成である。なお、ディスプレイ４１は本発明の表示部の一例であり、ボタン群４２は本発明の入力部の一例であり、用紙設定画面４５は、本発明の挿抜される部材に関する設定画面の一例である。また、後述の読取中画面９０ｂ（図６（ｂ））や、用紙設定画面４５（図４）等を表示する処理は、表示処理の一例である。また、ボタン群４２に対する操作を、アクティブ状態で表示中の画面に対する操作として受付ける処理は、受付処理の一例である。
【００６６】
次に、各種機能について説明する。
【００６７】
以下、複合機１が実行する各種機能として、印刷機能、読取機能、コピー機能について図４を参照しつつ、より具体的に説明を行う。
【００６８】
図４は、ディスプレイ４１に表示される用紙設定画面４５の例を示す概略的な図である。
【００６９】
まず、複合機１は電源ＯＮ等されると、操作パネル４０にメインメニュー画面８９（図５）をアクティブ状態で表示する。メインメニュー画面８９には、読取機能、コピー機能の他、各種設定等のメニューが表示されており、ユーザのボタン群４２の押下によって各メニューが選択可能となっている。なお、各種設定メニューをユーザが選択すると、ディスプレイ４１の明るさ調整や時刻設定等の複合機１全体に係る設定が可能である。以下、メインメニュー画面８９からの操作によって遷移する画面は、後述の用紙設定画面４５が表示されない限り、アクティブ状態で表示されるものとする。
【００７０】
まず、印刷機能について説明を行う。
【００７１】
印刷機能は、読取装置１００を用いずに、印刷装置１１０によって印刷を行う機能である。より具体的には、外部のコンピュータや、メディア等の画像を印刷する機能である。
【００７２】
印刷機能は、ユーザのボタン群４２の押下による、メインメニュー画面８９がアクティブ状態で表示中の状態からの印刷機能メニューの選択操作のほか、印刷データ及び設定を受信することや、メディアが複合機１に接続されること等によって選択される。
【００７３】
印刷機能が選択されると、必要に応じてユーザのボタン群４２の押下等によってユーザから印刷に関する設定操作を受け付けた後、印刷部１０を動作させ、受信した印刷データやメディア内に保存された画像等の印刷を行う。
【００７４】
なお、ユーザのボタン群４２の押下によって印刷が中止されると、複合機１は、印刷部１０の動作を停止し、印刷中の用紙Ｓを排紙し、印刷機能を終了する。
【００７５】
次に、読取機能について説明を行う。
【００７６】
読取機能は、原稿載置部３に保持された原稿を読み取る機能である。
【００７７】
読取機能は、ユーザのボタン群４２の押下によってメインメニュー画面８９のアクティブ状態での表示中に読取機能メニューを選択されることにより開始される。
【００７８】
ユーザがボタン群４２の押下によって読取機能メニューを選択後、複合機１は、例えば、読取解像度、カラー若しくはモノクロ読取の切り替え、読取サイズ等の読取を行う条件をユーザに設定させる。そしてボタン群４２の押下によってユーザから設定完了及び読取動作の開始指示を受付けた後、原稿検出センサ６９によって原稿載置部３上の原稿を検出した場合には、原稿載置部３に保持された原稿の読取が行われる。原稿検出センサ６９によって原稿載置部３上に原稿を検出しない場合には、原稿載置部３上に原稿を検出するまで、読取の実行を待機する。
【００７９】
原稿の読取後は、複合機１は、読み取った画像のデータを所定のメモリに保存する等し、読取機能を終了する。一方、ユーザのボタン群４２の押下によって読取が中止されると、途中まで読み取った原稿のデータを破棄し、読取機能を終了する。
【００８０】
最後に、コピー機能について説明を行う。
【００８１】
コピー機能は画像読取部６によって読み取った原稿の画像を、給紙トレイ５１に保持された用紙Ｓ上に印刷部１０によって印刷を行う機能である。
【００８２】
ユーザがボタン群４２の押下によってメインメニュー画面８９のアクティブ状態での表示中にコピー機能を選択すると、複合機１は、まず、コピー部数や、片面若しくは両面印刷を選択可能な印刷面数、１面あたりの割り付け数等をユーザに設定させる。そしてボタン群４２の押下によってユーザから設定完了及びコピーの開始指示を受付けると、原稿検出センサ６９によって原稿載置部３上の原稿を検出した場合には、原稿載置部３に保持された原稿の読取が行われ、印刷部１０の動作によって読み取った画像のコピーが行われる。原稿検出センサ６９によって原稿載置部３上に原稿を検出しない場合には、原稿載置部３上に原稿を検出するまで、読取の実行を待機する。
【００８３】
なお、ユーザのボタン群４２の押下によって、コピー動作が中止されると、複合機１は、画像読取部６及び印刷部１０の動作を停止し、読み取った原稿のデータを破棄、印刷中であった用紙Ｓを排紙し、コピー機能を終了する。
【００８４】
以下、複合機１がディスプレイ４１に表示する表示画面について、図５〜図８を参照しつつ、より具体的に説明を行う。
【００８５】
まず用紙設定画面４５について、図４を用いてより詳しく説明を行う。
【００８６】
用紙設定画面４５は、給紙トレイ５１に保持される用紙Ｓの種類（サイズ、タイプ等）について設定を行うための表示画面である。複合機１は、給紙トレイ５１に載置される用紙Ｓの種類を検知するセンサ等を備えていないため、給紙トレイ５１に新たな用紙Ｓが補充された場合、ユーザは、給紙トレイ５１に保持する用紙Ｓの種類について設定を行う必要がある。この設定が行われないと、複合機１の認識する給紙トレイ５１内の用紙Ｓの種類と、給紙トレイ５１内の実際の用紙Ｓの種類とにずれが生じ、給紙を行った場合のＪＡＭの発生等、問題が起きる可能性がある。
【００８７】
用紙設定画面４５は、給紙トレイ５１が装置本体２に対して抜き出されたとき、用紙Ｓが補充される、すなわち、用紙Ｓの種類が変更される可能性があるとして、アクティブ状態で表示される。なお、それまで最前面に表示されていた画面すなわちアクティブ状態であった画面は、用紙設定画面４５の背面に表示される。すなわちアクティブ状態でなくなる。これは、給紙トレイ５１に保持される用紙Ｓの種類の設定を確実にユーザに促すためである。
【００８８】
用紙設定画面４５は、図４に示すように、給紙トレイ５１が新たに保持する用紙Ｓの種類の設定画面である。なお、用紙Ｓの種類としては、例えば、Ａ４、はがき等の用紙Ｓのサイズや、普通紙、光沢紙等の用紙Ｓのタイプがある。ユーザはボタン群４２を押下することにより、用紙設定画面４５に表示される用紙Ｓの種類を変更することができる。そして、ユーザが設定ボタン４５ｉを、対応するボタン群４２によって押下することにより選択すると、設定ボタン４５ｉを選択された時点で用紙設定画面４５に表示されている用紙Ｓの種類が、給紙トレイ５１が新たに保持する用紙Ｓの種類として、設定される。
【００８９】
設定が完了すると、用紙設定画面４５は消去される。また、ユーザは消去ボタン４５ｊを、ボタン群４２によって押下することにより選択すると、給紙トレイ５１を抜き出す前の設定が、給紙トレイ５１に保持されている用紙Ｓの種類の設定として維持され、用紙設定画面４５は消去される。すなわち、設定を変更せずに用紙設定画面４５をディスプレイ４１から消去することができる。
【００９０】
なお、用紙設定画面４５を新たに最前面に表示し、それまで最前面に表示されていた画面を背面に表示する処理は、画面変更処理の一例である。
【００９１】
続いて、上述の各機能の設定中にディスプレイ４１に表示される画面について、図５〜図８を用いてより詳しく説明を行う。
【００９２】
本実施形態においては、各機能の設定中に表示される画面として、読取を行う条件をユーザが設定することが可能な読取設定画面９０ａ（図６（ａ））や、読取設定画面９０ａの設定項目に加えて、コピー部数や、片面若しくは両面印刷を選択可能な印刷面数、１面あたりの割り付け数等の設定が可能なコピー設定画面９２ａ（図７（ａ））がある。
【００９３】
読取設定画面９０ａは、メインメニュー画面８９のアクティブ状態での表示中において、ユーザのボタン群４２の押下によって読取機能メニューが選択された場合に、メインメニュー画面８９に代わって表示される。
【００９４】
読取設定画面９０ａには、例えば、読取解像度、カラー若しくはモノクロ読取の切り替え、読取サイズ等の読取を行う際の各種設定項目が表示される。
【００９５】
読取設定画面９０ａのアクティブ状態での表示中においては、ユーザはボタン群４２の操作により、例えば、読取解像度、カラー若しくはモノクロ読取の切り替え、読取サイズ等の選択が可能である。また、読取設定画面９０ａの表示中においては、ユーザはボタン群４２のスタートキーを押下することにより、読取内容の設定を、読取設定画面９０ａに表示された内容で設定完了する指示と、設定完了した内容での読取の開始指示とを、同時に行うことが可能である。
【００９６】
コピー設定画面９２ａは、メインメニュー画面８９のアクティブ状態での表示中に、ユーザのボタン群４２の押下によってコピー機能が選択されると、メインメニュー画面８９に代わって表示される。
【００９７】
コピー設定画面９２ａには、コピーを行う条件の各種項目が表示される。より具体的には、上述の読取設定画面９０ａの設定項目に加えて、コピー部数や、片面若しくは両面印刷を選択可能な印刷面数、１面あたりの割り付け数等、印刷に関する設定項目が表示される。
【００９８】
コピー設定画面９２ａのアクティブ状態での表示中においては、ユーザはボタン群４２の操作により、上述の読取設定画面９０ａでの設定項目に加えて、印刷に関する設定項目の選択が選択可能である。また、コピー設定画面９２ａのアクティブ状態での表示中においては、ユーザはボタン群４２のスタートキーを押下することにより、コピー内容の設定をコピー設定画面９２ａに表示された内容で設定完了する指示と、設定完了した内容でのコピーの開始指示とを、同時に行うことが可能である。
【００９９】
印刷設定画面９４ａ、読取設定画面９０ａ、コピー設定画面９２ａは、本発明の、画像処理部によるジョブの内容の設定画面の一例である。
【０１００】
続いて、各種機能の動作中にディスプレイ４１に表示される画面について、図６〜図８を用いてより詳しく説明を行う。
【０１０１】
各種機能の動作中にディスプレイ４１に表示される画面として、本実施形態においては、印刷中画面９４ｂ（図８）、読取中画面９０ｂ（図６（ｂ））、コピー中画面９２ｂ（図７（ｂ））がある。
【０１０２】
印刷中画面９４ｂは、印刷機能において、設定付きの印刷データの受信や、印刷に関する設定画面がアクティブ状態で表示中におけるボタン群４２のスタートキーの押下によって表示される。
【０１０３】
印刷中画面９４ｂには、印刷中である旨と、印刷中止を受付可能な旨が表示される。
【０１０４】
印刷中画面９４ｂのアクティブ状態での表示中においては、ユーザは、ボタン群４２のストップキーの押下により、印刷部１０の動作を中止させる印刷中止指示を行うことが可能である。
【０１０５】
印刷部１０の動作を中止させる印刷中止指示の受付あるいは、印刷部１０の動作が完了すると、ディスプレイ４１の表示は、印刷中画面９４ｂからメインメニュー画面８９に切り替わる。
【０１０６】
読取中画面９０ｂは、読取機能において、読取設定画面９０ａのアクティブ状態での表示中に、ボタン群４２のスタートキーを押下され、かつ、原稿検知センサ６９によって、原稿が原稿載置部３上に有ることを検知した場合に、表示される。
【０１０７】
読取中画面９０ｂの表示中には、読取中である旨と、読取中止を受付可能な旨が表示される。
【０１０８】
読取中画面９０ｂアクティブ状態での表示中においては、ユーザは、ボタン群４２のストップキーの押下により、画像読取部６の動作を中止させる読取中止指示を行うことが可能である。
【０１０９】
画像読取部６の読取を中止させる読取中止指示の受付あるいは、画像読取部６の動作が完了すると、ディスプレイ４１の表示は、読取中画面９０ｂからメインメニュー画面８９に切り替わる。
【０１１０】
コピー中画面９２ｂは、コピー機能において、コピー設定画面９０ｂのアクティブ状態での表示中に、ボタン群４２のスタートキーを押下され、かつ、原稿検知センサ６９によって、原稿が原稿載置部３上に有ることを検知した場合に、表示される。
【０１１１】
コピー中画面９２ｂの表示中には、コピー中である旨と、コピー中止を受付可能な旨が表示される。
【０１１２】
コピー中画面９２ｂのアクティブ状態での表示中においては、ユーザは、ボタン群４２のストップキーの押下により、画像読取部６及び印刷部１０の動作を中止させるコピー中止指示を行うことが可能である。
【０１１３】
画像読取部６及び印刷部１０の動作を中止させるコピー中止指示の受付あるいは、画像読取部６及び印刷部１０の動作が完了すると、ディスプレイ４１の表示は、コピー中画面９２ｂからメインメニュー画面８９に切り替わる。
【０１１４】
なお、読取設定画面９０ａのアクティブ状態での表示中あるいはコピー設定画面９２ａのアクティブ状態での表示中に、ボタン群４２のスタートキーを押下されたが、原稿検出センサ６９によって原稿載置部３上に原稿を検出しない場合には、原稿載置部３上に原稿を載置するよう促し、原稿載置部３上に原稿を検出するまで読取あるいはコピーの実行を待機する旨の画面をディスプレイ４１に表示する。
【０１１５】
印刷中画面９４ｂ、読取中画面９０ｂ、コピー中画面９２ｂは、本発明の、画像処理部によって実行中のジョブの制御画面の一例である。
【０１１６】
続いて、複合機１の電気的構成について説明する。
【０１１７】
図９は、複合機１の電気的構成を概略的に示すブロック図である。複合機１は、図９に示すように、ＣＰＵ３１（制御部の一例）と、ＲＯＭ３２と、ＲＡＭ３３と、不揮発性記憶部３４と、画像読取部６と、印刷部１０と、操作パネル４０と、ネットワークインターフェース（以下、ネットワークＩ／Ｆと称す）３７と、ＵＳＢインターフェース（以下、ＵＳＢ  Ｉ／Ｆと称す）３８と、検知部６０と、モータ２３と、を主に備えている。
【０１１８】
ＲＯＭ３２には、複合機１を制御するための各種制御プログラムや各種設定、初期値等が記憶されている。
【０１１９】
ＲＡＭ３３は、各種制御プログラムが読み出される作業領域として、あるいは、データを一時的に記憶する記憶領域として利用される。ＣＰＵ３１は、ＲＯＭ３２から読み出した制御プログラムに従って、その処理結果をＲＡＭ３３または不揮発性記憶部３４に記憶させながら、複合機１の各構成要素を制御する。ＲＡＭ３３には特に、後に詳述の画面表示フラグ６７が記憶されている。また、ＲＡＭ３３には、現在アクティブ状態で表示中の画面が上述の画面のいずれであるかを格納するステータスパラメータが記憶されており、ＣＰＵ３１は、このステータスパラメータを参照することで、現在操作パネル４０にどの画面がアクティブ状態で表示されているか判断することが出来る。
【０１２０】
画像読取部６は、ＣＰＵ３１によって制御されて、原稿載置部３に載置された原稿の画像を読み取る。そして読み取った画像に応じた読取データを生成する。
【０１２１】
印刷部１０は、ＣＰＵ３１によって、プロセス部５や搬送ベルト７、定着部８等が制御されることにより給紙トレイ５１から給紙された用紙Ｓに対して印刷を行う。
【０１２２】
操作パネル４０は、ＣＰＵ３１によって、図１に示すディスプレイ４１への動作状況等の表示を制御される。また、ユーザのボタン群４２の押下による入力操作に応じた信号をＣＰＵ３１に伝達する。ＣＰＵ３１は、伝達された信号を、ディスプレイ４１にアクティブ状態で表示中の画面に対する操作指示として受け付ける。
【０１２３】
ネットワークＩ／Ｆ３７及びＵＳＢ  Ｉ／Ｆ３８は、通信回線或いはＵＳＢケーブル等を介して外部のコンピュータ（図示しない）、メディア（図示しない）等に接続され、相互のデータ通信が可能となっており、例えば印刷部１０に印刷を行わせる印刷指示の受付や、印刷を行う画像データの受信等を行う。なお、ネットワークＩ／Ｆ３７及びＵＳＢ  Ｉ／Ｆ３８以外のインターフェースを備えてもよい。例えば、ＳＤカード等に対応したインターフェースを備えていてもよい。
【０１２４】
検知部６０は、挿抜センサ６１と、原稿検出センサ６９と、を備えている。
【０１２５】
挿抜センサ６１は、給紙トレイ５１に向けて発光し、給紙トレイ５１との前後方向の距離に応じて変化する反射光の、ある閾値に対する強弱に応じて、２通りの信号をＣＰＵ３１に伝達する。特に、給紙トレイ５１が抜出状態か、挿入状態かに応じた２通りの信号をＣＰＵ３１に伝達する。なお、抜出状態とは、給紙トレイ５１が装置本体２から一部または全て抜き出されている状態であり、反射光は、ある閾値よりも弱くなる。一方、挿入状態とは、装置本体２に挿入され全てが装置本体２内に収容されている状態であり、反射光は、ある閾値よりも強くなるものとする。
なお、挿抜センサ６１は、上記のような構成に限られず、給紙トレイ５１の挿抜に応じて異なる信号を伝達する構成であればなんでも良い。
【０１２６】
原稿検出センサ６９は、原稿載置部３の、原稿が載置される透明な部材上に向けて発光し、反射光の明度によって原稿載置部３上の原稿の有無に応じた２通りの信号をＣＰＵ３１に伝達する。
【０１２７】
モータ２３はＣＰＵ３１によって制御されて、ベルト機構部２５に動力を伝達する。
【０１２８】
以下、画面表示フラグ６７について、より詳しく説明を行う。
【０１２９】
画面表示フラグ６７は、用紙設定画面４５を表示する必要があるか否かを区別するためのものである。
【０１３０】
ＣＰＵ３１は、本実施形態では、挿抜センサ６１の信号が挿入状態から抜出状態に変化した場合に、画面表示フラグ６７に「１」を格納する。すなわち、用紙設定画面４５の表示を行う必要がある場合に、画面表示フラグ６７に「１」を格納する。なお、画面表示フラグ６７に「１」を格納した後用紙設定画面４５を表示した場合等、用紙設定画面４５の表示を行う必要がなくなった場合には、「０」を画面表示フラグ６７に格納する。
【０１３１】
画面表示フラグ６７は、後に詳述の設定画面表示処理において、用紙設定画面４５を表示する必要があるか否かをＣＰＵ３１が判断する場合に用いられる。
【０１３２】
なお、挿抜センサ６１の信号が抜出状態から挿入状態に変化した場合に、画面表示フラグ６７に「１」を格納する構成等であってもよい。すなわち、ＣＰＵ３１が画面表示フラグ６７に「１」を格納する場合とは、給紙トレイ５１について用紙Ｓの種類が変更された可能性のある状況であることを検知した場合であれば何でも良い。なお、センサについても、挿抜センサ６１でなくてもよい。給紙トレイ５１の用紙Ｓの種類が変更された可能性があることを検知するためのセンサであれば何でもよい。
【０１３３】
上述のように、挿抜センサ６１から出力される信号によって、給紙トレイ５１の挿抜状態の変化を検知する処理は、検知処理の一例である。
【０１３４】
以下、複合機１の、操作パネル４０への用紙設定画面４５の表示を制御する設定画面表示機能に係る設定画面表示処理について、図１０を参照しつつ説明する。
【０１３５】
図１０は複合機１が行う設定画面表示処理のフローチャートである。
【０１３６】
設定画面表示処理は、複合機１の電源がＯＮされると、ＣＰＵ３１により実行される。
【０１３７】
設定画面表示処理が開始されると、まずＣＰＵ３１は、画面表示フラグ６７に「０」を格納することにより、複合機１の電源ＯＮによる、フラグの初期化を行う（Ｓ９５）。
【０１３８】
そして、ＣＰＵ３１は、画面表示フラグ６７に、「１」が格納されているか否かを判断することによって、給紙トレイ５１が抜出状態に変化したことにより用紙設定画面４５Ａの表示を行うべきであるか否かを判断する（Ｓ１００）。画面表示フラグ６７Ａに、「１」が格納されていると判断することによって、給紙トレイ５１が抜出状態に変化したことにより用紙設定画面４５の表示を行うべきであると判断するまで（Ｓ１００：ＮＯ）、Ｓ１００の処理を繰り返し行う。
【０１３９】
画面表示フラグ６７に「１」が格納されているとして、給紙トレイ５１が抜出状態に変化したことにより、用紙設定画面４５の表示を行うべきであると判断する場合（Ｓ１００：ＹＥＳ）、ＣＰＵ３１は、読取中画面９０ｂ、コピー中画面９２ｂ、印刷中画面９４ｂのいずれか１つの画面がアクティブ状態で表示中であるか否かを判断することにより、印刷部１０もしくは画像読取部６が動作中であるか否かを判断する（Ｓ１０５）。
【０１４０】
読取中画面９０ｂ、コピー中画面９２ｂ、印刷中画面９４ｂのいずれか１つの画面がアクティブ状態で表示中であると判断することにより、印刷部１０もしくは画像読取部６が動作中であると判断する場合（Ｓ１０５：ＹＥＳ）、ＣＰＵ３１は、表示中の、読取中画面９０ｂ、コピー中画面９２ｂ、印刷中画面９４ｂのいずれか１つの画面の表示が終了し、メインメニュー画面８９が表示されたか否かを判断することにより、印刷部１０や画像読取部６の動作が終了したか否かを判断する（Ｓ１１０）。表示中の、読取中画面９０ｂ、コピー中画面９２ｂ、印刷中画面９４ｂのいずれか１つの画面の表示が終了し、メインメニュー画面８９が表示されたと判断することにより、印刷部１０もしくは画像読取部６の動作が終了したと判断するまで（Ｓ１１０：ＮＯ）、Ｓ１１０の判断を行う。
【０１４１】
表示中の、読取中画面９０ｂ、コピー中画面９２ｂ、印刷中画面９４ｂのいずれか１つの画面の表示が終了し、メインメニュー画面８９が表示されたと判断することにより、印刷部１０もしくは画像読取部６の動作が終了したと判断する場合（Ｓ１１０：ＹＥＳ）、ＣＰＵ３１は、給紙トレイ５１Ａに対応する用紙設定画面４５の操作パネル４０へのアクティブ状態での表示を開始する（Ｓ１１５）。そして、画面表示フラグ６７の値を「０」に変更し、Ｓ１００の処理へ移行する。なお、Ｓ１１５で表示を開始した用紙設定画面４５は、前述のように、ユーザによるボタン群４２の押下によって設定ボタン４５ｉあるいは消去ボタン４５ｊを操作されることにより、ディスプレイ４１上から消去される。
【０１４２】
一方、読取中画面９０ｂ、コピー中画面９２ｂ、印刷中画面９４ｂのすべての画面がアクティブ状態で表示中でないと判断することにより、印刷部１０及び画像読取部６が動作中でないと判断する場合（Ｓ１０５：ＮＯ）、ＣＰＵ３１は、メインメニュー画面８９がアクティブ状態で表示中であるか否かを判断することにより、装置の使用開始を待機中であるか否かを判断する（Ｓ１２０）。
【０１４３】
メインメニュー画面８９がアクティブ状態で表示中であると判断することにより、装置の使用開始を待機中であると判断する場合（Ｓ１２０：ＹＥＳ）、ＣＰＵ３１は、給紙トレイ５１に対応する用紙設定画面４５の操作パネル４０への表示を開始する（Ｓ１１５）。そして、画面表示フラグ６７の値を「０」に変更し、Ｓ１００の処理へ移行する。
メインメニュー画面８９がアクティブ状態で表示中でないと判断することにより、装置の使用開始を待機中でないと判断する場合（Ｓ１２０：ＮＯ）、ＣＰＵ３１は、画面表示フラグ６７の値を「０」に変更し、Ｓ１００の処理へ移行する。
【０１４４】
ＣＰＵ３１は、給紙トレイ５１が抜出状態に変化したことにより、用紙設定画面４５の表示を行うべきであると判断する場合（Ｓ１００：ＹＥＳ）に、印刷、コピー、読取のいずれかの実行中であって、動作の制御画面がアクティブ状態であると判断する場合（Ｓ１０５：ＹＥＳ）、実行中の印刷、コピー、読取のいずれかの動作が終了したと判断するまで用紙設定画面４５の表示を行わない（Ｓ１１０、Ｓ１１５）。一方、印刷、コピー、読取のいずれかの実行中でないと判断し、装置が使用されるのを待機する画面がアクティブ状態であると判断する場合（Ｓ１０５：ＮＯ、Ｓ１２０：ＹＥＳ）は、ＣＰＵ３１は、給紙トレイ５１に対応する用紙設定画面４５の操作パネル４０への表示を開始する（Ｓ１１５）。このように、印刷、コピー、読取等の動作中は、用紙設定画面４５の表示を行わないよう制御することによって、印刷、コピー、読取等の動作を制御、特に、中止させる指示を妨げない、すなわち、制限しない一連の処理は、変更制限処理の一例である。
【０１４５】
なお複合機１が読み取った原稿の画像データを外部に送信するファクシミリ機能を備える場合には、Ｓ１０５の処理において、ユーザからファックス送信を中止させる指示が可能な画面のアクティブ状態での表示中か否かを判断して、ファックス送信を中止させる指示が可能な画面のアクティブ状態での表示中である場合には、その表示が終了してから用紙設定画面４５を表示する構成であってもよい。
【０１４６】
なお、Ｓ１１０において印刷部１０や画像読取部６の動作が終了したか否か、すなわち、用紙設定画面４５の表示を行わない期間が終了したか否かを判断する方法は、表示中の画面がメインメニュー画面８９に変化したことによって判断する方法に限られない。例えば、現在の複合機１の動作状態を記憶するステータスパラメータをＲＡＭ３３に有し、複合機１の動作状態が、印刷中、読取中、コピー中のいずれでもなくなったことによって判断する方法等であってもよい。
【０１４７】
＜作用効果＞
本実施例によれば、印刷部１０や画像読取部６によるコピー、読取、印刷等の実行中は、用紙設定画面４５を表示し給紙トレイ５１に新たに補充される用紙Ｓの種類に関する設定を受け付ける処理によって、コピー、読取、印刷等の実行を制御する指示、特に中止する指示の受け付けを制限しない。したがって、コピー、読取、印刷等の実行を制御する指示を行うユーザの操作を妨げる可能性を低減することができる。したがって、コピー、読取、印刷等の適切な実行や中止を妨げる可能性を低減できる。
【０１４８】
また、印刷部１０や画像読取部６によるコピー、読取、印刷等の実行中は、用紙設定画面４５を表示せず、給紙トレイ５１に新たに補充される用紙Ｓの種類に関する設定を受け付ける処理を行わないことによって、コピー、読取、印刷等の実行を制御する指示の受け付けを制限しないことができる。
【０１４９】
また、コピー、読取、印刷等の適切な実行を妨げる可能性を低減できるとともに、給紙トレイ５１に新たに補充される用紙Ｓの種類に関する設定をユーザに促すことができる。
【０１５０】
（第２実施例）
次に図１１を参照しつつ、第２実施例を説明する。なお記載の無い点については、第１実施例と同一であるとする。
【０１５１】
図１１は、次原稿確認画面９６を表す概略図である。
【０１５２】
第２実施例においては、複合機１は、読取機能において、原稿載置部３に載置された原稿の読み取り後、読取中画面９０ｂの表示に代わって、次原稿確認画面９６を表示する。
【０１５３】
次原稿確認画面９６には、直前に読取っていた原稿（第１の原稿の一例）の次に読み取りたい原稿（第２の原稿の一例）の有無についてユーザに確認や原稿の交換を促す情報が表示されている。
【０１５４】
次原稿確認画面９６のアクティブ状態での表示中において、複合機１は、直前に読取っていた原稿の次に読み取りたい原稿が有り且つ交換を行ったか、あるいは、次に読み取りたい原稿が無い、のいずれかの指示を、ユーザのボタン群４２のテンキーの操作を通して受付可能である。
【０１５５】
次原稿確認画面９６の表示中において、直前に読取っていた原稿の次に読み取りたい原稿が有り且つ交換を行ったとユーザからボタン群４２のテンキーの操作を通して指示を受け付けた場合、複合機１は、次原稿確認画面９６に代わって再び読取中画面９０ｂをディスプレイ４１に表示する。そして、交換され原稿載置部３に新たに載置された原稿の読取を開始する。
【０１５６】
一方、次原稿確認画面９６のアクティブ状態での表示中において、直前に読取っていた原稿の次に読み取りたい原稿が無いと、ユーザからボタン群４２のテンキーの操作を通して指示を受け付けた場合、複合機１は、それまでに読み取った画像を所定のメモリ等に保存し、次原稿確認画面９６に代わってメインメニュー画面８９を表示し、読取機能を終了する。
【０１５７】
なお、次原稿確認画面９６のアクティブ状態での表示中において、一定時間指示を受け付けない場合には、複合機１は、次原稿確認画面９６の表示を消去し、それまでに読み取った画像を所定のメモリ等に保存し、次原稿確認画面９６に代わってメインメニュー画面８９を表示し、読取機能を終了する。
【０１５８】
上記は、読取機能に限らず、読み取りが行われるコピー機能においても同様である。すなわち、原稿載置部３に載置された原稿の読み取り後、コピー中画面９２ｂの表示に代わって、次原稿確認画面９６を表示する。なお、第２実施例においては読取設定画面９０ａもしくはコピー設定画面９２ａのアクティブ状態での表示中に、読取面の設定項目で両面が設定された場合と、コピー設定画面９２ａの表示中に割り付け数の設定項目で１枚のシートＳに複数の原稿の画像を割り付ける印刷が設定された場合の読取動作時には、原稿載置部３に載置された原稿の読み取り後、次原稿確認画面９６を表示するものとする。なお、次原稿確認画面９６を表示する場合とは上記の例に限られず、複数枚の原稿を読み取る可能性のある場合であれば何でも良い。
【０１５９】
複合機１が、直前に読取った原稿の次に読み取りたい原稿があり、原稿の交換を行ったとユーザから操作パネル４０の操作を通して指示を受け付けた場合、新たに載置された原稿の読取を行う。
【０１６０】
以上の構成をふまえ、第２実施例においては、Ｓ１０５とＳ１１０の処理が第１実施例とは異なる。
【０１６１】
第２実施例においては、画面表示フラグ６７に「１」が格納されているとして、給紙トレイ５１が抜出状態に変化したことにより、用紙設定画面４５の表示を行うべきであると判断する場合（Ｓ１００：ＹＥＳ）、ＣＰＵ３１は、次原稿確認画面９６のアクティブ状態での表示中であるか否かを判断することにより、次に読み取りたい原稿の交換状態をユーザに確認して再び読取を行う読取機能もしくはコピー機能が動作中であるか否かを判断する（Ｓ１０５）。
【０１６２】
次原稿確認画面９６のアクティブ状態での表示中であると判断することにより、次に読み取りたい原稿の交換状態をユーザに確認して再び読取を行う読取機能もしくはコピー機能が動作中であると判断する場合（Ｓ１０５：ＹＥＳ）、ＣＰＵ３１は、読取機能もしくはコピー機能が終了し、メインメニュー画面８９が表示されたか否かを判断することにより、印刷部１０や画像読取部６の動作が終了したか否かを判断する（Ｓ１１０）。メインメニュー画面８９が表示されたと判断することにより、印刷部１０や画像読取部６の動作が終了したと判断するまで（Ｓ１１０：ＮＯ）、Ｓ１１０の判断を行う。
【０１６３】
ＣＰＵ３１は、給紙トレイ５１が抜出状態に変化したことにより、用紙設定画面４５の表示を行うべきであると判断する場合（Ｓ１００：ＹＥＳ）に、次に読み取りたい原稿の有無をユーザに確認して再び読取を行う読取もしくはコピーが実行中であって、次に読み取りたい原稿の有無をユーザに確認する画面がアクティブ状態であると判断する場合（Ｓ１０５：ＹＥＳ）、次に読み取りたい原稿の有無をユーザに確認して再び読取を行う読取もしくはコピーの実行が終了したと判断するまで用紙設定画面４５の表示を行わない（Ｓ１１０、Ｓ１１５）。一方、次に読み取りたい原稿の有無をユーザに確認する画面がアクティブ状態で表示されていないと判断し、装置が使用されるのを待機する画面がアクティブ状態であると判断する場合（Ｓ１０５：ＮＯ、Ｓ１２０：ＹＥＳ）は、ＣＰＵ３１は、給紙トレイ５１に対応する用紙設定画面４５の操作パネル４０への表示を開始する（Ｓ１１５）。このように、次に読み取りたい原稿の有無をユーザに確認する画面がアクティブ状態である場合は用紙設定画面４５の表示を行わないことによって用紙Ｓの種類を設定する指示を受付けないことにより、次に読み取りたい原稿の有無の指示を妨げない、すなわち、制限しない一連の処理は、変更制限処理の一例である。
【０１６４】
＜作用効果＞
本発明によれば、次に読み取りたい原稿の有無が存在する指示をユーザから受け付ける処理を行う読取もしくはコピーの実行中は、用紙設定画面４５を表示し給紙トレイ５１に新たに補充される用紙Ｓの種類に関する設定を受け付ける処理によって、次に読み取りたい原稿の有無が存在する指示の受け付けを制限しない。したがって、特に、次に読み取りたい原稿の読取を行う、すなわち読取を継続させる指示を行うユーザの操作を妨げる可能性を低減することができる。したがって、コピー、読取等の適切な継続を妨げる可能性を低減できる。
【０１６５】
（第３実施例）
次に図１２を参照しつつ、第３実施例を説明する。なお記載の無い点については、第１実施例と同一であるとする。
【０１６６】
図１２は、複合機１が行う、第１実施例とは異なる設定画面表示処理のフローチャートである。
【０１６７】
第３実施例においては、Ｓ９５と同様の、画面表示フラグ６７の初期化（Ｓ４９５）の後、Ｓ１００と同様の、用紙設定画面４５の表示を行うべきであるか否かの判断処理（Ｓ５００）において、用紙設定画面４５の表示を行うべきであると判断された（Ｓ５００：ＹＥＳ）後の処理が、第１実施例と異なる。
【０１６８】
第３実施例において、用紙設定画面４５の表示を行うべきであると判断された場合（Ｓ５００：ＹＥＳ）、ＣＰＵ３１は、読取設定画面９０ａ、コピー設定画面９２ａ、印刷設定画面９４ａのいずれか１つの画面のアクティブ状態での表示中であるか否かを判断することにより、印刷部１０や画像読取部６の動作の設定中か否かを判断する（Ｓ５０５）。
【０１６９】
読取設定画面９０ａ、コピー設定画面９２ａ、印刷設定画面９４ａのいずれか１つの画面のアクティブ状態での表示中であると判断することにより、印刷部１０や画像読取部６の動作の設定中であると判断する場合（Ｓ５０５：ＹＥＳ）、ＣＰＵ３１は、用紙設定画面４５の表示を行わず、給紙トレイ５１に載置されている用紙Ｓの種類を、前回設定された種類（現行の設定の一例）から変更がないものとする（Ｓ５１０）。すなわち例えばＡ４サイズの用紙Ｓが載置されていた場合に、給紙トレイ５１Ａの抜出があった場合には、新たに載置される用紙ＳをＡ４サイズであるとする。なお、Ｓ５１０の処理は、給紙トレイ５１Ａに載置されている用紙Ｓの種類を、不定とする処理であってもよい。この場合例えば、搬送路１１中に用紙Ｓの用紙サイズを検知するセンサ等を設け、給紙を行うことにより、用紙の種類を設定するなどが考えられる。Ｓ５１０の処理後、用紙設定画面４５の表示を行わないことから、画面表示フラグ６７の値を「０」に変更し、Ｓ５００の処理へ移行する。なお、用紙設定画面４５Ａの表示を行わないとは、用紙設定画面４５の表示を制限する、あるいは禁止する、と読み替えられる。
【０１７０】
一方、読取設定画面９０ａ、コピー設定画面９２ａ、印刷設定画面９４ａのすべての画面の表示中でないと判断することにより、印刷部１０や画像読取部６の動作の設定中でないと判断する場合（Ｓ５０５：ＮＯ）、ＣＰＵ３１は、Ｓ１０５と同様の、読取中画面９０ｂ、コピー中画面９２ｂ、印刷中画面９４ｂのいずれか１つの画面のアクティブ状態での表示中であるか否かを判断することにより、印刷部１０もしくは画像読取部６が動作中であるか否かを判断する処理を行う（Ｓ５１５）。以下、Ｓ５１５、Ｓ５２０、Ｓ５２５、Ｓ５３０の処理は、それぞれ、Ｓ１０５、Ｓ１１０、Ｓ１１５、Ｓ１２０の処理と同様である。すなわち、印刷部１０もしくは画像読取部６が動作中であると判断する場合には、印刷部１０及び画像読取部６の動作が終了するまで、用紙設定画面４５の表示を待機する。また、メインメニュー画面８９がアクティブ状態で表示中、すなわち、装置の使用の開始の待機状態であると判断する場合には、用紙設定画面４５を表示する。Ｓ５２５の処理終了後及びＳ５３０：ＮＯの場合は、Ｓ１１５、Ｓ１２０と同様に、画面表示フラグ６７Ａの値を「０」に変更した後、Ｓ５００の処理へ移行する。
【０１７１】
なお複合機１が読み取った原稿の画像データを外部に送信するファクシミリ機能を備える場合には、Ｓ５０５の処理において、ユーザがファックス送信を開始させる指示が可能な画面のアクティブ状態での表示中か否かを判断して、ファックス送信を開始させる指示が可能な画面のアクティブ状態での表示中である場合には、用紙設定画面４５を表示しないよう制御する構成であってもよい。
【０１７２】
また、印刷部１０もしくは画像読取部６が動作中であると判断する場合（Ｓ５１５：ＹＥＳ）には、印刷部１０及び画像読取部６の動作が終了するまで用紙設定画面４５の表示を待機する処理を行うのではなく、例えば、Ｓ５１０と同様に、用紙設定画面４５の表示を行わず、トレイ５１に載置されている用紙Ｓの種類を、前回設定された種類（現行の設定の一例）から変更がないとする処理を行ってもよい。
【０１７３】
また、印刷部１０や画像読取部６の動作の設定中であると判断する場合（Ｓ５０５：ＹＥＳ）には、用紙設定画面４５の表示を行わず、トレイ５１に載置されている用紙Ｓの種類を、前回設定された種類（現行の設定の一例）から変更がないとする処理を行うのではなく、例えば、Ｓ５２０、Ｓ５２５と同様に、動作の設定が終了してさらに動作が終了するまで用紙設定画面４５の表示を待機する処理を行ってもよい。
【０１７４】
ＣＰＵ３１は、給紙トレイ５１Ａが抜出状態に変化したことにより、用紙設定画面４５の表示を行うべきであると判断する場合（Ｓ５００：ＹＥＳ）に、印刷、コピー、読取等の動作の設定中であると判断する場合（Ｓ５０５：ＹＥＳ）、用紙設定画面４５の表示を行わず、給紙トレイ５１Ａに載置されている用紙Ｓの種類を、前回設定された種類から変更がないものとする（Ｓ５１０）。また、印刷、コピー、読取等の動作中であると判断する場合（Ｓ５１５：ＹＥＳ）、印刷部１０もしくは読取部５の動作が終了してから用紙設定画面４５の表示を行う（Ｓ５２０、Ｓ５２５）。また、装置の使用の開始の待機状態であると判断する場合（Ｓ５３０；ＹＥＳ）、用紙設定画面４５の表示を行う（Ｓ５２５）。このように、印刷、コピー、読取等の動作中及び動作の設定中は、用紙設定画面４５の表示を行わないことによって、印刷、コピー、読取等の動作を制御する指示及び動作を設定する指示を妨げない、すなわち、制限しない一連の処理は、変更制限処理の一例である。
【０１７５】
＜作用効果＞
本発明によれば、印刷部１０や画像読取部６によるコピー、読取、印刷等の内容についての設定中においても、用紙設定画面４５を表示し給紙トレイ５１に新たに補充される用紙Ｓの種類に関する設定を受け付ける処理によって、コピー、読取、印刷等の内容についての設定指示の受け付けを制限しない。したがって、印刷部１０や画像読取部６によるコピー、読取、印刷等の実行を制御する指示及び内容についての設定指示を行うユーザの操作を妨げる可能性を低減することができる。したがって、コピー、読取、印刷等の適切な準備を含む実行を妨げる可能性を低減できる。
【０１７６】
また、用紙設定画面４５の表示を制限する期間の終了後も表示しない構成において、コピー、読取、印刷等の適切な実行を妨げる可能性を低減しつつ、給紙トレイ５１に新たに補充される用紙Ｓの種類に関する設定を行うことができる。
【０１７７】
（第４実施例）
次に図１３を参照しつつ、第４実施例を説明する。なお記載の無い点については、第３実施例と同一であるとする。
【０１７８】
図１３は、プレヴュー画面９７を表す概略図である。
【０１７９】
第４実施例においては、原稿を読み取る際の流れが第３実施例とは異なり、１枚の原稿に対して２回読取動作を行うことで読取を行う。より具体的には、第４実施例において原稿を読み取る際には、複合機１は、まず、読取中画面９０ｂ、コピー中画面９２ｂ等のアクティブ状態での表示をしつつ原稿載置部３に載置された原稿の１回目の読取であるプレ読取を行う。次に、後に詳述のプレヴュー画面９７に表示を切り替え、アクティブ状態としつつ、ユーザによって２回目の読取である本読取のための調整の操作を受け付ける。そして、読取中画面９０ｂ、コピー中画面９２ｂ等のアクティブ状態での表示しつつ、受け付けた調整内容を加味して原稿の本読取を行う。そして、本読取によって読取った画像のみを、所定のメモリ等に保存する。
【０１８０】
プレヴュー画面９７は、プレ読取を行った原稿の本読取を行うにあたって、読取条件の設定画面である。
【０１８１】
プレヴュー画面９７は、プレ読取の終了後、読取中画面９０ｂ、コピー中画面９２ｂ等に代わって表示される。
【０１８２】
プレヴュー画面９７には、プレ読取にて読み取った画像（ジョブの実行を行う対象に関する画像、１度読取った画像の一例）が表示される。また、本読取において採用される解像度等の設定項目が表示される。このような構成によってユーザは、プレ読取した結果の画像を参照しつつ、解像度等の設定を調整することが可能である。
【０１８３】
プレヴュー画面９７のアクティブ状態での表示中においては、ユーザからボタン群４２の押下を受け付けることにより、本読取の際の各設定項目の設定を受付けることが可能である。
【０１８４】
プレヴュー画面９７のアクティブ状態での表示中において、ユーザからボタン群４２のスタートキーの押下を受け付けると、本読取の際の各設定項目の設定を、プレヴュー画面９７の表示内容で受付けるとともに、受け付けた設定内容で原稿の本読取が開始される。また、プレヴュー画面９７に代わって、再び読取中画面９０ｂ、コピー中画面９２ｂ等が表示される。
【０１８５】
第４実施例においては、Ｓ５０５においてアクティブ状態で表示中か否か判断される画面が、プレヴュー画面９７である点が、第３実施例と異なる。
【０１８６】
用紙設定画面４５の表示を行うべきであると判断された場合（Ｓ５００：ＹＥＳ）、ＣＰＵ３１は、プレヴュー画面９７のアクティブ状態での表示中か否かを判断する（Ｓ５０５）。
【０１８７】
プレヴュー画面９７のアクティブ状態での表示中であると判断する場合（Ｓ５０５：ＹＥＳ）には、Ｓ５１０と同様、給紙トレイ５１に載置されている用紙Ｓの種類を、前回設定された種類から変更しないものとする。
【０１８８】
一方、プレヴュー画面９７のアクティブ状態での表示中でないと判断する場合（Ｓ５０５：ＮＯ）には、ＣＰＵ３１は、Ｓ１０５と同様の、読取中画面９０ｂ、コピー中画面９２ｂ、印刷中画面９４ｂのいずれか１つの画面のアクティブ状態での表示中であるか否かを判断することにより、印刷部１０もしくは画像読取部６が動作中であるか否かを判断する処理を行う（Ｓ５１５）。
【０１８９】
ＣＰＵ３１は、給紙トレイ５１が抜出状態に変化したことにより、用紙設定画面４５の表示を行うべきであると判断する場合（Ｓ５００：ＹＥＳ）に、解像度等、本読取の読み取り条件の設定中であると判断する場合（Ｓ５０５：ＹＥＳ）、用紙設定画面４５の表示を行わない（Ｓ５１０）。また、印刷、コピー、読取等の実行中であると判断する場合（Ｓ５１５：ＹＥＳ）、印刷、コピー、読取等の実行が終了してから用紙設定画面４５の表示を行う（Ｓ５２０、Ｓ５２５）。また、装置の使用の開始の待機状態であると判断する場合（Ｓ５３０；ＹＥＳ）、用紙設定画面４５の表示を行う（Ｓ５２５）。このように、原稿の画像を再度読み取る際の設定中、用紙設定画面４５の表示を行わないことによって、印刷、コピー、読取等の実行動作を制御する指示及び本読取の読み取り条件を設定する指示を妨げない、すなわち、制限しない一連の処理は、変更制限処理の一例である。
【０１９０】
＜作用効果＞
また、本読取の実行にあたって読み取りを行う条件の設定中においても、用紙設定画面４５を表示し給紙トレイ５１に新たに補充される用紙Ｓの種類に関する設定を受け付ける処理によって、本読取の実行にあたって読み取りを行う条件の設定指示の受け付けを制限しない。したがって、コピー、読取等の実行を制御する指示及び本読取の実行にあたって読み取りを行う条件の設定指示を行うユーザの操作を妨げる可能性を低減することができる。したがって、原稿を一度読み取った後再度読取を行うコピー、読取等の適切な実行を妨げる可能性を低減できる。 
【０１９１】
（第５実施例）
次に図１４を参照しつつ、第５実施例を説明する。なお記載の無い点については、第３実施例と同一であるとする。
【０１９２】
図１４は、画像選択画面９８を表す概略図である。
【０１９３】
第５実施例においては、複合機１は、ＵＳＢ  Ｉ／Ｆ３８を介してメディアが接続されると、印刷機能を実行し、接続されたメディア中の画像を印刷する構成である。
【０１９４】
ＵＳＢ  Ｉ／Ｆ３８を介してメディアが複合機１に接続されることにより印刷機能が開始されると、画像選択画面９８がアクティブ状態で表示される。
【０１９５】
画像選択画面９８には、メディア中の印刷可能な画像の一覧が表示される。
【０１９６】
画像選択画面９８のアクティブ状態での表示中においては、複合機１は、ユーザのボタン群４２の押下によって、印刷を行う画像を選択する操作を受け付け可能である。
【０１９７】
画像選択画面９８のアクティブ状態での表示中において、ユーザのボタン群４２のスタートキーの押下を受け付けることによって、複合機１は、画像選択画面９８に代わって印刷中画面９４ｂを表示し、また、印刷部１０の動作により、選択された画像の用紙Ｓへの印刷を開始する。
【０１９８】
第５実施例においては、Ｓ５０５において表示中か否か判断される画面が、画像選択画面９８である点が、第３実施例と異なる。
【０１９９】
用紙設定画面４５の表示を行うべきであると判断された場合（Ｓ５００：ＹＥＳ）、ＣＰＵ３１は、画像選択画面９８のアクティブ状態での表示中か否かを判断する（Ｓ５０５）。
【０２００】
画像選択画面９８のアクティブ状態での表示中であると判断する場合（Ｓ５０５：ＹＥＳ）には、Ｓ５１０と同様、給紙トレイ５１に供給されている用紙Ｓの種類を、前回設定された種類と同じ種類であるものとする。
【０２０１】
一方、画像選択画面９８のアクティブ状態での表示中でないと判断する場合（Ｓ５０５：ＮＯ）には、ＣＰＵ３１は、Ｓ１０５と同様の、読取中画面９０ｂ、コピー中画面９２ｂ、印刷中画面９４ｂのいずれか１つの画面のアクティブ状態での表示中であるか否かを判断することにより、印刷部１０もしくは画像読取部６が動作中であるか否かを判断する処理を行う（Ｓ５１５）。
【０２０２】
ＣＰＵ３１は、給紙トレイ５１が抜出状態に変化したことにより、用紙設定画面４５の表示を行うべきであると判断する場合（Ｓ５００：ＹＥＳ）に、印刷を行う画像の選択中であると判断する場合（Ｓ５０５：ＹＥＳ）、用紙設定画面４５の表示を行わない（Ｓ５１０）。また、印刷、コピー、読取等の動作の実行中であると判断する場合（Ｓ５１５：ＹＥＳ）、印刷、コピー、読取等の動作の実行が終了してから用紙設定画面４５の表示を行う（Ｓ５２０、Ｓ５２５）。また、装置の使用の開始の待機状態であると判断する場合（Ｓ５３０；ＹＥＳ）、用紙設定画面４５の表示を行う（Ｓ５２５）。このように、印刷を行う画像の選択中、用紙設定画面４５の表示を行わないことによって、印刷、コピー、読取等の動作の実行を制御する指示及び印刷を行う画像の選択指示を妨げない、すなわち、制限しない一連の処理は、変更制限処理の一例である。
【０２０３】
＜作用効果＞
本発明によれば、用紙Ｓに印刷する画像の選択中においても、用紙設定画面４５を表示し給紙トレイ５１に新たに補充される用紙Ｓの種類に関する設定を受け付ける処理によって、用紙Ｓに印刷する画像の選択指示の受け付けを制限しない。したがって、コピー、読取、印刷等の実行を制御する指示及び用紙Ｓに印刷する画像の選択指示を行うユーザの操作を妨げる可能性を低減することができる。したがって、画像の選択を受け付けて行う印刷の適切な実行を妨げる可能性を低減できる。 
【０２０４】
（その他の実施例）
（１）上記実施例においては、画像処理装置は複合機１としたが、これに限られず、例えばインクジェットプリンタ等、印刷装置１１０のみを備えた装置であってもよい。
【０２０５】
（２）上記実施例では１つのＣＰＵ３１により処理を実行する構成であったが、複数のＣＰＵ３１により処理を実行する構成や、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）などのハード回路のみ、または、ＣＰＵ３１およびハード回路により処理を実行する構成でもよい。
【０２０６】
（３）上記実施例においては、挿抜される部材の一例としての用紙Ｓの挿抜を、挿抜センサ６１がＣＰＵ３１に伝達する信号によって検知していたが、挿抜される部材と、センサは、用紙Ｓと、挿抜センサ６１に限られない。例えば、用紙Ｓに画像を形成するためのトナー（記録材の一例）を収容したトナーカートリッジを装置本体２に対して挿抜される部材とし、装置本体２に設けられた、トナーカートリッジを収容する収容部のカバーの開閉を検知するセンサをセンサとして、ＣＰＵ３１に伝達する信号によって、トナーカートリッジの挿抜状態の変化を検知する構成であってもよい。この構成においては、例えばカバーが開状態であることにより、ユーザがトナーカートリッジの交換に関する動作を行っている可能性があるとして、トナーカートリッジの挿抜状態の変化が検知されると判断されるとする。そして、トナーカートリッジの挿抜状態の変化が検知されるとＣＰＵ３１が判断した場合には、例えば、情報として「トナーを交換しましたか？」というメッセージを表示すると共に、ユーザからＹＥＳ、ＮＯのいずれかの選択指示を受け付ける画面を表示するものとする。このようにすれば、印刷部１０や画像読取部６によるコピー、読取、印刷等の実行中は、印刷中画面９４ｂ、読取中画面９０ｂ、コピー中画面９２ｂ等がアクティブ状態で表示されているのに代わって「トナーを交換しましたか？」というメッセージをアクティブ状態で表示しユーザからＹＥＳ、ＮＯのいずれかの選択指示を受け付ける処理を行わない。すなわち、コピー、読取、印刷等の実行を制御する指示の受け付けを制限しない。したがって、コピー、読取、印刷等の実行を制御する指示を行うユーザの操作を妨げる可能性を低減することができる。なお、インクジェットプリンタ等においては、トナーカートリッジの代わりに、インクカートリッジでも良い。
【０２０７】
（４）上記実施例においては、複合機１において、給紙トレイ５１は、装置本体２に対して挿抜可能であったがこれに限られず、給紙トレイ５１は、たとえば装置本体２の常に外部に設けられ用紙Ｓを保持可能なＭＰトレイであってもよい。ＭＰトレイ５１に積載された用紙Ｓは、装置本体２の外壁によって構成される開口から装置本体２内部へ給紙される。用紙設定画面４５の表示が必要であるか否かの検知方法は、例えば、アクチュエータ等、用紙の有無を検知するセンサをＭＰトレイに設けたうえで、ＭＰトレイ上の用紙Ｓの無しから有りへの変化を検知する方法が考えられる。また、給紙トレイ５１は、ローラに用紙Ｓが突き当てられることにより先端のみを給紙することで用紙Ｓを保持する手差しトレイであってもよい。手差しトレイにおいては、例えばローラの手前にＭＰトレイと同様に用紙Ｓの有無を検知するセンサを設けることにより、用紙Ｓの無しから有りへの変化を検知することによって、用紙設定画面４５の表示が必要であるか否かを検知する。なお、給紙トレイ５１は複数個設けられていても良い。また、すべて同一種類のトレイでなくてもよい。
【０２０８】
（５）上記実施例においては、ボタン群４２の操作によってユーザからの指示を受付ける構成であったが、このようでなくてもよい。例えば、ディスプレイ４１がタッチパネルとして機能する場合には、タッチパネルとしてのディスプレイ４１の操作によってユーザからの指示を受付ける構成であってもよい。
【０２０９】
（６）上記実施例においては、用紙設定画面４５をアクティブ状態で表示することによって、他の表示画面における操作を妨げない制御として、表示を行わない制御を行っていたが、このようでなくてもよい。例えば、用紙設定画面４５の表示は行うが、アクティブ状態で表示中の画面の背面に表示、すなわちアクティブでない状態で表示する等の制御であってもよい。
【０２１０】
（７）上記実施例においては、用紙設定画面４５を表示する場合として、メインメニュー画面８９がアクティブ状態で表示中である場合を挙げたが、例えば、時計のみの画面をアクティブ状態で表示中である場合等でもよい。すなわち、装置の使用の開始を待機する画面のアクティブ状態での表示中であればなんでもよい。
【０２１１】
（８）上記実施例においては、アクティブ状態を、複数画面を重ねて表示する構成において最前面に表示されている状態と定義していたが、このようでなくてもよい。例えば、複数画面を並列に表示する構成においては、グレーアウトしていない状態と定義してもよい。
【符号の説明】
【０２１２】
３１  ＣＰＵ
４０  操作パネル
４５  用紙設定画面
５１  給紙トレイ
６１  挿抜センサ
８９  メインメニュー画面
【図１】
2015122615.tif 000003
【図２】
2015122615.tif 000004
【図３】
2015122615.tif 000005
【図４】
2015122615.tif 000006
【図５】
2015122615.tif 000007
【図６】
2015122615.tif 000008
【図７】
2015122615.tif 000009
【図８】
2015122615.tif 000010
【図９】
2015122615.tif 000011
【図１０】
2015122615.tif 000012
【図１１】
2015122615.tif 000013
【図１２】
2015122615.tif 000014
【図１３】
2015122615.tif 000015
【図１４】
2015122615.tif 000016